(57)【特許請求の範囲】
【請求項１】
配電線から分岐した第一高圧引下げ用電線を柱上変圧器を装柱した電柱に沿わせて配線し、該高圧引下げ用電線の端末を前記柱上変圧器に支持金具を介して高圧カットアウトと共に取付けたＰＤアダプタに接続し、該ＰＤアダプタと前記高圧カットアウトを第二高圧引下げ用電線で接続した、高圧引下げ用電線の柱上配線装置。
【発明の詳細な説明】
【技術分野】
【０００１】
本発明は、配電線と柱上変圧器の間に介在させる高圧引下げ用電線の柱上配線装置に関するものである。
【背景技術】
【０００２】
変圧器の装柱に際し、送電線や配電線などと変圧器の間に高圧引下げ用電線を介在させ、かつ、該高圧引下げ用電線の中間部に高圧カットアウトを配して、過負荷による変圧器の故障防止、当該変圧器以降の短絡電流が高圧線へ波及させるのを防ぐようにしている。
【０００３】
そして、前記高圧カットアウトは、変圧器と別個に装柱するのが一般である（例えば、特許文献１）が、別個に装柱するには応分の資材を必要とし、そのために配線作業も煩雑となることから、変圧器自体に高圧カットアウトを装備して装柱する手段も採られている（例えば、特許文献２）。
【０００４】
【特許文献１】特開２００６−３４０４７３号公報
【特許文献２】実用新案登録第２５３１２４８号公報
【発明の開示】
【発明が解決しようとする課題】
【０００５】
いずれにしても、配電線等と柱上変圧器との間に装柱機器や樹木などの障害物が存在すると、障害物回避のための配線作業（高圧引下げ用電線の）が煩雑となり、配線内容を現場任せにしているのが現状である。
【０００６】
本発明は、障害物を確実に回避できる高圧引下げ用電線の柱上配線装置を提供することを目的として創案したものである。
【課題を解決するための手段】
【０００７】
配電線から分岐した第一高圧引下げ用電線を柱上変圧器を装柱した電柱に沿わせて配線し、該高圧引下げ用電線の端末を前記柱上変圧器に支持金具を介して高圧カットアウトと共に取付けたＰＤアダプタに接続し、該ＰＤアダプタと前記高圧カットアウトを第二高圧引下げ用電線で接続した構成としたものである。
【発明の効果】
【０００８】
本発明によれば、配電線より分岐した高圧引下げ用電線を電柱に沿わせて配線して柱上変圧器に設けたアダプタに接続するものであるから、前記配電線と柱上変圧器（のアダプタ）間に装柱機器や樹木などの障害物の位置や大きさと無関係に配線でき、電柱に沿わせる一方で、変圧器に支持金具を介して取付けた（定形化して取付けられる）アダプタ、高圧カットアウトを介して変圧器に接続するものであるから、配線状態の画一化を図れ、常に均質な配線状態を得ることができる。
【実施例】
【０００９】
図面は本発明に係る高圧引下げ用電線の柱上配線装置の一実施例を示し、図１は第一実施例の正面図、図２は図１の一部拡大図、図３は図２のａ−ａ線断面図、図４は第二実施例の拡大正面図である。
【００１０】
図中１は電柱、２は該電柱１に装柱した柱上変圧器で、変圧器２はバンド体３によって前記電柱１に締付けてある。
【００１１】
変圧器２には、支持金具４，１４４を介して高圧カットアウト５およびアダプタ（ＰＤアダプタ）６を設け、高圧カットアウト５とアダプタ６は一端において第二高圧引下げ用電線８´を介して互いに接続され、高圧カットアウト５の他の一端はリード線８´ａによってブッシング９を通じて変圧器２の内部機構と接続され、また、前記アダプタ６の他の一端は、配電線１０より分岐した第一高圧引下げ用電線８の末端と接続してある。
【００１２】
前記第一高圧引下げ用電線８は、前記柱上変圧器２を装柱した前記電柱１に前記配電線１０との分岐部である高圧スリップオン碍子７の近傍位置から前記アダプタ６の近傍位置まで沿わせて配線し、前記の通りアダプタ６に接続したもので、電柱１に対して適宜の取付手段１１を用いて取付け、実施例の場合は、取付手段１１を電柱１に巻回したバンド体で構成してある。
【第一実施例】
【００１３】
図１乃至図３で示す第一実施例の支持金具４は、本体金具１２と該本体金具１２の中間部に取付けたアダプタ用支持金具１３で成り、本体金具１２の先端に前記高圧カットアウト５を、アダプタ用支持金具１３の先端には前記アダプタ６をそれぞれ取付け、本体金具１の基部を柱上変圧器２の変圧器ケース２Ａの周壁部２Ａ´の上部に並設した取付座１４に取付けて、高圧カットアウト一体的形の柱上変圧器を構成するものである。
【００１４】
本体金具１２は、ねじ杆１６とこれに螺合したナット１７で接続した基部金具１２Ａと先部金具１２Ｂを備え（分解できるようにして保管や搬送に利便にした）、先部金具１２Ｂの先端に前記高圧カットアウト５を支持した先端金具１２Ｃをねじ杆１８とこれに螺合したナット１９によって接続し、基部金具１２Ａの基端部を変圧器ケース２Ａの周壁部２Ａ´に突設した、平面視Ｕ字状の前記取付座１４に載置し、該基端部を通じて取付座１４に貫通させた取付けボルト２０の先端に取付ナット２１を螺合、締付けて、変圧器ケース２Ａに突設したものである。
【００１５】
前記アダプタ用支持金具１３は、基端に設けた溝状の枠部片２２を本体金具１２の基部金具１２Ａの中間部に嵌め込んで接続ボルト２３とこれに螺合した接続ナット２４で締め付けて本体金具１に立設状にして配設し、先端に設けた支持部２５で前記アダプタ６を支持させたものである。
【００１６】
支持部２５は、アダプタ用支持金具１３の先端に設けた受部片２５ａに、該受部片２５ａと別体の挟持片２６をアダプタ６を介して重ね合わせ、挟持ボルト２７とこれに螺合したナット２８によってこれらを互いに締め付けてアダプタ６を支持するようにしたものである。
【第二実施例】
【００１７】
図４は、前記支持金具４に代えて耐塩型支持金具１４４を用いて本発明に係る高圧引下げ用電線の柱上配線装置を実施した第二実施例を示し、この第二実施例に用いた前記耐塩型支持金具１４４は、本体金具４０と該本体金具４０の中間部に取付けたアダプタ用支持金具４１で成り、本体金具４０の先端に高圧カットアウト５を、アダプタ用支持金具４１の先端にアダプタ６をそれぞれ取付け、本体金具４０の基部を柱上変圧器２の変圧器ケース２Ａの周壁部２Ａ´の上部に並設した取付座１４に取付けて、高圧カットアウト一体的形の柱上変圧器を構成するものである。
【００１８】
本体金具４０は、遮蔽部４０Ｄ´´を備えた耐塩高圧ピン碍子４０Ｄを介して互いに分解可能（保管や搬送の利便性のため）に接続した基部金具４０Ａと先部金具４０Ｂを備え、先部金具４０Ｂの先端に、第一実施例を同様に高圧カットアウト５を支持した先端金具４０Ｃをねじ杆１８とこれに螺合したナット１９によって接続し、基部金具４０Ａの基端部を変圧器ケース２Ａの周壁部２Ａ´に突設した平面視Ｕ字状の前記取付座１４に載置し、該基端部を通じて取付座１４に貫通させた取付けボルト２０の先端に取付ナット２１を螺合、締付けて、第一実施例と同様に変圧器ケース２Ａに突設したものである。
【００１９】
前記アダプタ用支持金具４１は、第一実施例のものと略同様に基端に設けた溝状の枠部片４２を本体金具４０の基部金具４０Ａの先端側の、前記耐塩高圧ピン碍子４０Ｄのピン４０Ｄ´部の支持部に外側から嵌め込んで、接続ボルト４３とこれに螺合した接続ナット（図示省略）で締め付けて本体金具４０に立設状にして配設し、先端に設けた支持部４５で前記アダプタ６を支持させたものである。
【００２０】
支持部４５は、アダプタ用支持金具４１の先端に設けた受部片４５ａに、該受部片４５ａと別体の挟持片４６をアダプタ６を介して重ね合わせ、挟持ボルト４７とこれに螺合したナット４８によってこれらを互いに締め付けてアダプタ６を第一実施例と同様に支持するようにしたものである。
【００２１】
なお、第二実施例は、第一実施例の支持金具４に代えて耐塩型支持金具１４４を用いた点以外は第一実施例と同様である。
【図面の簡単な説明】
【００２２】
【図１】第一実施例の正面図。
【図２】図１の一部拡大図。
【図３】図２のａ−ａ線断面図。
【図４】第二実施例の拡大正面図
【符号の説明】
【００２３】
２          柱上変圧器
５          高圧カットアウト
６          ＰＤアダプタ
８，８´    高圧引下げ用電線
【図１】
0005015727.tif 000002
【図２】
0005015727.tif 000003
【図３】
0005015727.tif 000004
【図４】
0005015727.tif 000005